(57)【要約】【課題】  所定の長さに裁断された粘着シート片を複数枚積層してなる粘着シート片積層体、およびこれを箱体などの包装体内に収納して、一枚ずつ簡単に取り出すことができるようにした粘着シート片積層体を提供する。【解決手段】  支持体、粘着剤層、セパレータを順次積層してなる粘着シート片を二つ折りし、複数枚積層して積層体とする。個々の粘着シート片を簡単に二つ折りをできるように、セパレータには２分割できるミシン目や切れ目を設けておくことが好ましい。粘着シート片積層体は、上方に取出し口を有する硬質または軟質の包装体内に収納することによって、取出し口から一枚ずつ取出すことができる。【選択図】    図２
2006007424.tif 000002
【特許請求の範囲】
【請求項１】
支持体、粘着剤層、およびセパレータを順次積層してなる粘着シート片が、二つ折りされて複数枚積層された粘着シート片積層体であって、上下の粘着シート片が所定幅の重ね代を介して重ね合わされ、上の粘着シート片が持ち上げられたときにその下に位置する粘着シート片が一緒に持ち上げられることを特徴とする粘着シート片積層体。
【請求項２】
粘着シート片を構成するセパレータに、セパレータを２分割できるミシン目または切れ目が設けられており、該ミシン目または切れ目の部分で二つ折りされている請求項１記載の粘着シート片積層体。
【請求項３】
上方に取出し口を有する硬質または軟質の包装体内に、請求項１または２記載の粘着シート片が二つ折りされて複数枚重ねられた状態で収納されていると共に、該取出し口から個々の粘着シート片を取り出し自在に収納されていることを特徴とする粘着シート片積層体。
【発明の詳細な説明】
【技術分野】
【０００１】
本発明は、粘着シート片積層体に関し、詳しくは所定の長さに裁断された粘着シート片を包装体、例えば箱体に収納して、一枚ずつ簡単に取り出すことができる粘着シート片に関する。
【背景技術】
【０００２】
支持体の片面に粘着剤層が形成され、粘着剤層上にセパレータを被覆積層した粘着シートとしては、長尺の粘着シートを巻回してロール状にしたタイプや所定長さに裁断して片状にしたタイプがある。ロール状の粘着シートはコンパクトであるが、使用するに当ってはハサミなどで切断する必要があり、取扱性に問題がある。近年は手切れ性を付与したものも開発されているが、支持体に延伸処理やミシン目処理などの特定の処理を施す必要があり、製造面では均一な手切れ性を得るためには厳格な品質管理が必要となる。
【０００３】
一方、所定長さの片状に裁断した場合には、上記のような問題はないが、複数枚のシート片を持ち運ぶ際に難点がある。しかも一枚一枚がバラバラであるので、たとえ包装体に収納したとしても取り出し性についても難点があるものである。
【０００４】
このような問題点を解決するタイプとして、支持体、粘着剤層、およびセパレータを順次積層し、これを所定長さに裁断してなる粘着シート片を複数枚積重してなる積重体を得るに当って、粘着シート片の一端側のセパレータを一部除去して、下に位置する粘着シート片の支持体背面に粘着させる方法が提案されている。（特許文献１参照）。しかし、このタイプでは粘着シート片の粘着剤層が一部露出させて積重させなければならないので、製造上、容易でない。
【特許文献１】特開２００３−１０３６６９号公報
【発明の開示】
【発明が解決しようとする課題】
【０００５】
本発明は従来にない新しいタイプの積層体（積重体）を提供することを目的とし、製造的にも比較的簡単で、しかも包装体に収納した場合の取り出し性などの取扱性に優れる粘着シート片積層体を提供することを目的としたものである。
【課題を解決するための手段】
【０００６】
本発明は、支持体、粘着剤層、およびセパレータを順次積層してなる粘着シート片が、二つ折りされて複数枚積層された粘着シート片積層体であって、上下の粘着シート片が所定幅の重ね代を介して重ね合わされ、上の粘着シート片が持ち上げられたときにその下に位置する粘着シート片が一緒に持ち上げられることを特徴とするものである。
【発明の効果】
【０００７】
本発明の粘着シート片積層体は、所定の長さに裁断された粘着シート片を複数枚積層してなるものであって、例えば箱体のような包装体に収納することによって、一枚ずつ簡単に取り出すことができるという効果を有するものであって、従来の粘着シート片積層体とは全く異なったタイプのものである。
【発明を実施するための最良の形態】
【０００８】
図1は本発明の粘着シート片積層体を構成する粘着シート片を示す断面図である。即ち、本発明における粘着シート片は、支持体１の片面に粘着剤層２が形成され、さらに粘着剤層２の表面にセパレータ３が積層されている。また、本発明の粘着シート片積層体では上下に位置する粘着シート片を二つ折りして複数枚積層してなるものであるので、図１に示すように、セパレータ３には簡単に二つ折りするための、ミシン目または切れ目４を形成することが好ましい。
【０００９】
図２は、図１に示すような粘着シート片Ａを複数枚積層して本発明の粘着シート片積層体としたものを、包装体５に収納した状態を示す略式断面図である。包装体５の上方には取出し口６が設けられており、収納されている粘着シート片Ａを上方から１枚ずつ取り出すことができる。各粘着シート片は上下の粘着シート片が所定幅の重ね代を介して重ね合わされ、上の粘着シート片が持ち上げられたときにその下に位置する粘着シート片が一緒に持ち上げられるようになっているので、最上部に位置する粘着シート片Ａを１枚取り出すと、その下に位置する粘着シート片Ａの端部が取出し口６から外に突出して、取り出す際の把持部となるのである。
【００１０】
粘着シート片を構成する支持体は、後述する粘着剤層をその片面に投錨性良好に積層保持できるものである。具体的な材質としてはポリスチレン系の熱可塑性エラストマーフィルムや、ポリエチレン、ポリプロピレン、エチレン／メタクリル酸共重合体、エチレン／メタクリル酸メチルなどのポリオレフィン系フィルム、ポリエーテルポリウレタンやポリエステルポリウレタンなどのポリウレタン系フィルム、ポリエチレンテレフタレートなどのポリエステル系フィルム、ポリ塩化ビニルフィルム、ポリ塩化ビニリデンフィルム、各種プラスチック材料からなる織布や不織布、編布、紙、その他これらのフィルム同士の積層体、布帛や紙同士の積層体、フィルムと布帛との積層体、フィルムと金属箔との積層タイ、布帛や紙と金属箔との積層体などを用いることができる。
【００１１】
使用する支持体の厚みは材質によって任意であるが、自己支持性の点からは、通常、プラスチックフィルムを支持体とする場合には１５〜２５０μｍ、好ましくは２０〜１００μｍ程度とし、織布や不織布などの布帛や紙などを支持体とする場合には５０〜５００μｍ、好ましくは１００〜３００μｍ程度とする。なお、後者のように布帛や紙などを支持体材料に用いる場合は、絶対厚みを測定しにくいので、坪量が８〜２００ｇ／ｍ2程度のものを用いることが好適である。
【００１２】
本発明において上記支持体の片面に積層される粘着剤層は、特に限定はなく、一般に使用される、アクリル系粘着剤、ゴム系粘着剤、シリコーン系粘着剤、ポリウレタン系粘着剤、ポリエステル系粘着剤など、従来公知の種々の粘着剤から形成することができる。
【００１３】
本発明における粘着シート片を皮膚に貼付して用いることを目的とするものとして実現する場合には、皮膚に複数回粘着可能であるとともに皮膚への刺激性が少ないという観点から、上記粘着剤の中でもアクリル系粘着剤を使用することが好ましく、特には、皮膚に対し貼付後もその部分の角質を剥離することが少なく、低皮膚刺激性を有するものであることから、特開平６−３１９７９３号公報に記載されたアクリル系粘着剤を使用することが特に好ましい。この特開平６−３１９７９３号公報に記載された粘着剤は、皮膚表面の凹凸に対し粘着剤が密着することによって皮膚への固定を維持させることから、皮膚ばかりでなく、新聞紙、紙などの層間破壊しやすい被着体に貼り付けて剥がしても、被着体を破壊することなく、きれいに剥がすことができるものである。
【００１４】
また、粘着剤層の厚みは、５μｍ〜１５０μｍ、好ましくは１０μｍ〜８０μｍとする。粘着剤層の厚みが小さすぎると充分な粘着力が得られず、粘着剤層の厚みが大きすぎると、側面からの糊はみ出しが生じる恐れがあるので好ましくない。
【００１５】
上記粘着剤層の表面を被覆保護するセパレータとしては、粘着剤層に接する側の表面に剥離処理を施したシートであればその材質に制限はなく、各種プラスチックシートや紙シートなどを用いることができる。剥離処理としては、自体公知の剥離処理剤、例えばフッ素樹脂やシリコーン樹脂などを塗布することで行うことができる。
【００１６】
本発明における包装体は硬質または軟質の材料から形成されるが、具体的にはプラスチック製の硬質または軟質容器や、各種プラスチックフィルム、紙、布帛などの包装シートで形成された袋体、紙箱などから形成される。そして、包装体の上面には収納している粘着シート片を取り出し可能な大きさの取出し口が形成されている。なお、持ち運び性、コンパクト性の点から、軟質な包装シートで形成された携帯用の包装体（包装袋）を用いることが好ましい。また前記取出し口は、開口しておればよいのでスリットであっても良いことは云うまでもない。
【図面の簡単な説明】
【００１７】
【図１】本発明の粘着シート片積層体を構成する粘着シート片１枚の断面図である。
【図２】本発明の粘着シート片積層体を包装体に収納した状態を示す略式断面図である。
【符号の説明】
【００１８】
１  支持体
２  粘着剤層
３  セパレータ
４  ミシン目または切れ目
５  包装体
６  取出し口
Ａ  粘着シート片
【図１】
2006007424.tif 000003
【図２】
2006007424.tif 000004